(57)【特許請求の範囲】
【請求項１】
液保持性の第１吸収体部と、前記第１吸収体部における一方側に配置される少なくとも一部が液透過性の表面シートと、を有する本吸収体と、
液保持性の第２吸収体部を有すると共に、前記本吸収体における前記表面シート側と反対側に配置される補助吸収体と、
液保持性を有する吸収体を備えておらず前記本吸収体と前記補助吸収体とを連結する延伸可能な帯状部材と、を備え、
前記補助吸収体は、前記帯状部材により前記本吸収体と連結された状態で、前記補助吸収体における第２吸収体部が前記本吸収体の外縁から延出しない第１位置から、前記本吸収体の外縁から延出する第２位置に移動可能であり、
前記本吸収体には、前記補助吸収体の少なくとも一部を被包するカバー部が配置され、
前記補助吸収体における前記カバー部と対向する側の面には、所定の係止部が設けられており、
前記係止部は、前記係止部の表面に沿うように配置された剥離シートにより覆われており、
前記剥離シートは、前記カバー部に設けられる固定部において前記カバー部と接合されており、
前記固定部は、前記補助吸収体の延出方向における前記固定部の端部が、前記延出方向における前記係止部の端部と同じ位置又はより前記延出方向側に配置するように形成される吸収性物品。
【請求項２】
前記帯状部材には、前記帯状部材の一部を折り返して形成される折り返し延伸部が設けられる請求項１に記載の吸収性物品。
【請求項３】
前記帯状部材は、少なくとも一部が伸縮可能である請求項１又は２に記載の吸収性物品。
【請求項４】
前記補助吸収体には、前記第１位置において、前記本吸収体の外縁から延出して配置される把持部が形成される請求項１から３のいずれかに記載の吸収性物品。
【発明の詳細な説明】
【技術分野】
【０００１】
本発明は、吸収性物品に関する。
【背景技術】
【０００２】
従来より、経血等の排泄物を吸収させるための吸収性物品として、生理用ナプキン、パンティライナー、尿取りパッド等が使用されている。これらの吸収性物品は、経血等の排泄物を吸収し保持する吸収体と、この吸収体の肌当接面側を覆う液透過性の表面シートと、吸収体の着衣側を覆う液不透過性の裏面シートと、を有し、例えば、下着の内面に接着させた状態等で使用される。
【０００３】
ところで、上記のような吸収性物品は、経血等の排泄物を確実に捕捉するために吸収体を備える吸収領域を着用者の排泄部に密着させて使用することが望まれている。しかしながら、吸収性物品は、元来下着等に取り付けられて使用されるものであるため、着用者の動きの変化に伴い、下着と排泄部との間に相対的な位置ずれを起こし易かった。そして、排泄部と吸収性物品との間に隙間が生じた場合には、例えば、排泄物が表面シートに沿って側方や臀部方向へ流れる場合があり、これにより下着や着衣を汚してしまうという問題があった。
【０００４】
これに対し、生理用ナプキンの不織布に形成される皺を伸ばすことにより延伸可能とし、延伸させた状態で下着に装着させることにより、着用者の動きの変化に伴う下着や皮膚の伸縮性に追随できるようにした吸収性物品が開示されている（例えば、特許文献１参照）。
【０００５】
また、生理用ナプキンの長手方向における中央部の吸収層を固定し、吸収層の後方自由縁部を自由端とすると共に上方に向けて起立させた吸収性物品が開示されている（例えば、特許文献２参照）。
【特許文献１】特表平０７−５０９３８４号公報
【特許文献２】特開平１１−１０４１６９号公報
【発明の開示】
【発明が解決しようとする課題】
【０００６】
しかしながら、特許文献１に開示の吸収性物品は、一の連続した吸収体により構成されているため、例えば、臀部のように歩行時に左右方向に動く箇所においては左右方向に対する歪みを生じさせてしまい、着用者に異物感を与えるだけでなく、排泄物等の漏れを生じさせるおそれがあった。
【０００７】
また、特許文献２に開示の吸収性物品は、後方自由縁部が延伸可能に形成されていないため吸収面積を増やすことができず、例えば、多量の排泄物が排泄された場合には、漏れを生じさせるおそれがあった。
【０００８】
本発明は、吸収性物品に補助吸収体を設け、補助吸収体を吸収性物品から延出可能に構成することにより、排泄物等の漏れを抑制させることが可能な吸収性物品を提供することを目的とする。
【課題を解決するための手段】
【０００９】
本発明者らは、上記目的を達成するため、第１吸収体と第２吸収体とを互いに積層するように配置し、第１吸収体の外縁から第２吸収体を延出可能に構成することにより、着用者の動きに追従可能であると共に、吸収面積をも調節することが可能であることを見出し、本発明を完成するに至った。具体的には、以下のような吸収性物品を提供する。
【００１０】
（１）  液保持性の第１吸収体部と、前記第１吸収体部における一方側に配置される少なくとも一部が液透過性の表面シートと、を有する本吸収体と、液保持性の第２吸収体部を有すると共に、前記本吸収体における前記表面シート側と反対側に配置される補助吸収体と、前記本吸収体と前記補助吸収体とを連結する延伸可能な帯状部材と、を備え、前記補助吸収体は、前記帯状部材により前記本吸収体と連結された状態で、前記補助吸収体における第２吸収体が前記本吸収体部の外縁から延出しない第１位置から、前記本吸収体の外縁から延出する第２位置に移動可能である吸収性物品。
【００１１】
ここで、吸収性物品は、補助吸収体が第１位置にある第１態様と、補助吸収体が第２位置にある第２態様とを有する。
【００１２】
（２）  前記帯状部材には、前記帯状部材の一部を折り返して形成される折返し延伸部が設けられる（１）に記載の吸収性物品。
【００１３】
（３）  前記帯状部材は、少なくとも一部が伸縮可能である（１）又は（２）に記載の吸収性物品。
【００１４】
（４）  前記補助吸収体には、前記第１位置において、前記本吸収体の外縁から延出して配置される把持部が形成される（１）から（３）のいずれかに記載の吸収性物品。
【００１５】
（５）  前記本吸収体には、前記補助吸収体の少なくとも一部を被包するカバー部が配置される（１）から（４）のいずれかに記載の吸収性物品。
【００１６】
（６）前記補助吸収体における前記カバー部と対向する側の面には、所定の係止部が設けられており、前記係止部は、前記係止部の表面に沿うように配置された剥離シートにより覆われており、前記剥離シートは、前記カバー部に設けられる固定部において前記カバー部と接合されており、前記固定部は、前記補助吸収体の延出方向における前記固定部の端部が、前記延出方向における前記係止部の端部と同じ位置又はより前記延出方向側に配置するように形成される（５）に記載の吸収性物品。
【発明の効果】
【００１７】
本発明によれば、吸収性物品に補助吸収体を設け、補助吸収体を吸収性物品から延出可能に構成することにより、排泄物等の漏れを抑制させることが可能な吸収性物品を提供することができる。
【発明を実施するための最良の形態】
【００１８】
以下、本発明の実施形態について図面を参照しながら説明する。なお、本発明の実施形態は、下記の実施形態に何ら限定されることなく、本発明の技術的範囲は、これに限定されるものではない。
【００１９】
また、本発明に係る吸収性物品は、身体から排泄される経血、尿、おりものなどを吸収することを目的として身体の股間部に着用されるものであるが、以下の実施形態では、女性の膣口から排泄される経血を吸収することを主な目的とする生理用ナプキンを例として説明する。また吸収性物品の２つの表面のうち排泄部に向けられる一方側を肌当接面とし、反対側の他方側をその外側に着衣が着用されるか否かに拘らず非肌当接面とする。
【００２０】
また、前方領域（Ｆ）とは、生理用ナプキンを着用した場合における着用者の膣口から腹部側に該当する領域をいい、後方領域（Ｒ）とは、生理用ナプキンを着用した場合における着用者の膣口から臀部側に該当する領域をいう。
【００２１】
図１は、本発明の第１実施形態に係る生理用ナプキンの正面図である。図２は、図１の背面図である。図３は、図１のＡ−Ａ断面図である。図４は、図１のＢ−Ｂ断面図である。図５は、前記第１実施形態に係る帯状部材の正面図である。図６（Ａ）は、図５のＣ−Ｃ断面図であり、図６（Ｂ）は、図５のＤ−Ｄ断面図であり、図６（Ｃ）は、図５のＥ−Ｅ断面図である。図７（Ａ）及び（Ｂ）は、生理用ナプキンにおける係止部と被覆シートとの関係を示す断面図である。図８（Ａ）は、前記第１実施形態に係る生理用ナプキンの装着状態を示す図であり、図８（Ｂ）は、（Ａ）のＨ−Ｈ断面図であり、図８（Ｃ）は、（Ａ）のＩ−Ｉ断面図である。図９（Ａ）及び（Ｂ）は、前記第１実施形態に係る生理用ナプキンの使用態様を示す図である。図１０は、本発明の第２実施形態に係る生理用ナプキンの背面図である。
【００２２】
図１１は、図１０のＧ−Ｇ断面図である。図１２（Ａ）は、本発明の第３実施形態に係る生理用ナプキンの斜視図であり、図１２（Ｂ）及び（Ｃ）は、第３実施形態に係る生理用ナプキンのＪ−Ｊ断面図である。図１３（Ａ）及び（Ｂ）は、本発明の第３実施形態の他の形態に係る生理用ナプキンのＪ−Ｊ断面図である。
【００２３】
［１］第１実施形態
［１．１］全体構成
本発明の第１実施形態に係る生理用ナプキン１により、本発明の吸収性物品における全体構成について説明する。第１実施形態に係る吸収性物品である生理用ナプキン１は、本吸収体である生理用ナプキン本体５と、第２吸収体部１００を有する補助吸収体６と、補助吸収体６と生理用ナプキン本体５とを連結する帯状部材１０と、補助吸収体６と帯状部材１０とを被包するカバー部材１５と、を備える。
【００２４】
具体的には、図１から図４に示すように、生理用ナプキン１は、着用者の肌当接面側に設けられ、表面層を構成する液透過性の表面シート部２と、着用者の非肌当接面側に設けられ、裏面層を構成する液不透過性の裏面シート部３と、表面シート部２と裏面シート部３との間に配置され、吸収層を構成する液保持性の第１吸収体部４と、を有する生理用ナプキン本体５と、裏面シート部３の非肌当接面側において、生理用ナプキン本体５の長手方向（ＬＤ）に沿うように摺動可能に設けられる帯状部材１０と、帯状部材１０により生理用ナプキン本体５と連結される補助吸収体６と、生理用ナプキン本体５の非肌当接面側において、補助吸収体６及び帯状部材１０を被包した状態で生理用ナプキン本体５と接合されるカバー部材１５と、を備える。
【００２５】
帯状部材１０は、一端側が生理用ナプキン本体５の前方領域（Ｆ）における接合部８において裏面シート部３と接合され、帯状部材１０の他端側は、生理用ナプキン本体５と接合されず、接合部８を起点とする自由端１０ｒとなる。そして、帯状部材１０の自由端１０ｒには、第２吸収体部１００を有する補助吸収体６が連結されている。これにより、補助吸収体６は、帯状部材１０により生理用ナプキン本体５と連結された状態で、補助吸収体６における第２吸収体部１００が生理用ナプキン本体５の外縁から延出しない第１位置から、生理用ナプキン本体５の外縁から延出する第２位置に移動可能となる。
【００２６】
また、補助吸収体６の非肌当接面側には、下着５０と係止する係止部９ｒが設けられている。係止部９ｒは、帯状部材１０の非延伸時においてはカバー部材１５に被包されており、帯状部材１０の延伸時に露出可能になるように形成される。カバー部材１５の帯状部材１０側の面には、離型処理された剥離シート２００が接合されており、剥離シート２００は、帯状部材１０が非延伸時のときには係止部９ｒを被覆するように配置される。また、剥離シート２００は、カバー部材１５の端部に設けられる固定部２０１においてカバー部材１５と接合されており、帯状部材１０を延伸させることにより係止部９ｒから剥離されるように構成される。
【００２７】
さらに、本実施形態においては、生理用ナプキン１は、表面シート部２及び第１吸収体部４を連続的に圧搾することにより形成される防漏溝部７と、サイドシート１７により形成されるサイドギャザー１６と、を備える。
【００２８】
［１．２］生理用ナプキン本体
生理用ナプキン本体５は、略縦長状に形成されると共に、その両側に下着５０に装着するためのいわゆるウイングＷ１、Ｗ２が搭載されている。生理用ナプキン本体５の形状としては、例えば、長方形、楕円型、瓢箪型等を例示できる。なお、本発明においては、着用者の身体及び下着５０の形状に適合する形状であればよい。
【００２９】
生理用ナプキン本体５は、生理用ナプキン本体５の幅方向（ＷＤ）における略中央部に略楕円状に形成された液透過領域２０を備える。液透過領域２０は、防漏溝部７により囲まれており、防漏溝部７は、液透過領域２０を区画する。排泄部から排泄される経血等の排泄物は、液透過領域２０における表面シート部２を透過して、第１吸収体部４で吸収される。非肌当接面側に配置される裏面シート部３は液不透過性であるので、排泄物は非肌当接面側には透過せず、第１吸収体部４に吸収された状態で保持されることとなる。また、防漏溝部７は、液透過領域２０を囲むように高圧搾と低圧搾とからなる圧搾部が連続的、若しくは所定間隔に形成されてなり、主に、第１吸収体部４に吸収された経血等の排泄物の漏れを防止すると共に、第１吸収体部４における排泄物の拡散を防止する。
【００３０】
［１．３］帯状部材及び補助吸収体
図５に示すように、帯状部材１０は、略縦長状に形成されると共に、伸長性材料を用いることにより、少なくとも一部が延伸可能に形成される。具体的には、帯状部材１０は、糸状に形成された複数の弾性材１２を一対の帯状の基材シート１１、１３で挟み込み、基材シート１１、１３のそれぞれを接着することにより形成される（図６（Ａ）参照）。さらに具体的には、帯状部材１０は、弾性材１２の長手方向（ＬＤ）に所定の張力をかけることにより、弾性材１２を所定の長さに延伸させ、延伸させた状態の弾性材１２を基材シート１１、１３で挟み、接着させることにより形成される。なお、帯状部材１０の他の伸張加工としては、部分的にスリット加工を施すことにより伸張可能としてもよく、波状のエンボス加工を施すことにより伸張可能としてもよい。
【００３１】
帯状部材１０は、生理用ナプキン本体５の長手方向（ＬＤ）の一端側に設けられた接合部８において生理用ナプキン本体５と接合される。そして、帯状部材１０の他端側は、生理用ナプキン本体５と接合されない自由端１０ｒであり、自由端１０ｒには、補助吸収体６が連結される。
【００３２】
補助吸収体６は、第２吸収体部１００を一対の帯状の基材シート１１、１３で挟み込み、基材シート１１、１３のそれぞれと第２吸収体部１００とを接着することにより形成される。なお、本実施形態においては、補助吸収体６は、帯状部材１０を形成する基材シート１１、１３を用いて帯状部材１０と連続するように形成したが、本発明においてはこれに限らない。例えば、補助吸収体６は、帯状部材１０と別体に形成し、接合する構成であってもよい。また、帯状部材１０は、帯状部材１０を形成する基材シート１１、１３を用いて補助吸収体６を構成した場合においても、補助吸収体６と生理用ナプキン本体５とを連結させたというものとする。
【００３３】
また、補助吸収体６の帯状部材１０と連結する側と反対側の端部には、把持部６２が設けられている。把持部６２は、生理用ナプキン本体５の長手方向（ＬＤ）における外縁から延出するように配置される。なお、把持部６２は、着用者が指等で摘める程度延出していればよい。
【００３４】
このように、帯状部材１０の自由端１０ｒ側に第２吸収体部１００を有する補助吸収体６を設けることにより、補助吸収体６は、帯状部材１０の延伸時に生理用ナプキン本体５の外縁部からいずれの方向（第２位置）へも延出可能になる。言い換えると、補助吸収体６に設けられる第２吸収体部１００が帯状部材１０の延伸時に生理用ナプキン本体５の外縁部からいずれの方向（第２位置）へも延出可能になる。これにより、表面シート側からみた吸収体（第１吸収体部４及び第２吸収体部１００）の面積を広くすることができ、例えば、生理用ナプキン本体５から体液等の排泄物が漏れ出し、着用者の臀部を伝って流れ出そうな場合においても、生理用ナプキン本体５から補助吸収体６を排泄物が流れ出しそうないずれかの位置（例えば、臀部方向側）に延出させて装着しておくことにより、第２吸収体部１００で排泄物を吸収することが可能になる。
【００３５】
なお、補助吸収体６が配置される領域においては、第２吸収体部１００に対応する領域であって、帯状部材１０の非肌当接面側に液不透過性のシート（図示せず）を配置することが好ましい。この液不透過性のシートは、帯状部材１０の自由端１０ｒ側における外縁部を覆うように設けられることが好ましい。また、液不透過性のシートは、帯状部材１０の両側の少なくとも一部を覆うように設けられることが好ましい。これにより、吸収性部材で吸収した排泄物が係止される下着５０に染み出すことを防止することが可能になるためである。
【００３６】
［１．４］カバー部材
カバー部材１５は、生理用ナプキン本体５の両側部及び前方領域（Ｆ）における外縁部において生理用ナプキン本体５と接合される。すなわち、カバー部材１５は、後方領域（Ｒ）における長手方向端部が開口するような態様になる。
【００３７】
カバー部材１５の長手方向（ＬＤ）における長さは、例えば、生理用ナプキン本体５の長手方向（ＬＤ）の長さの１０〜１００％の範囲が好ましく、さらに好ましくは、５０〜９０％の範囲が例示できる。１０％より小さいと、例えば、生理用ナプキン本体５と帯状部材１０との自由度が大きすぎてしまい、着用中にずれる可能性があるためである。また、１００％より大きいと、例えば、帯状部材１０を延伸させて下着５０に係止させる際に邪魔になるおそれがあるためである。また、例えば、帯状部材１０を生理用ナプキン１の幅方向（ＷＤ）へ引き出して使用する場合に、長手方向（ＬＤ）における規制が生じ、カバー部材１５の端部で帯状部材１０が折れ曲がったり、捩れたりして使用し難くなるためである。
【００３８】
カバー部材１５の幅方向（ＷＤ）における長さは、例えば、生理用ナプキン本体５の幅方向（ＷＤ）の長さの３０〜１５０％の範囲が好ましく、さらに好ましくは、５０〜１１０％の範囲が例示できる。３０％より小さいと、例えば、生理用ナプキン本体５を十分に身体へ密着させることができなくなるためである。また、１５０％より大きいと、例えば、大腿部と接触する面積が過剰となり、擦れ等による肌トラブルを発症させる可能性があるためである。
【００３９】
また、カバー部材１５の幅方向（ＷＤ）における長さは、例えば、帯状部材１０の幅方向（ＷＤ）の長さの１００〜２００％の範囲が好ましく、さらに好ましくは、１０５〜１５０％の範囲が例示できる。１００％より小さいと、例えば、帯状部材１０を延伸させる際にスムーズに伸ばすことができないためである。また、例えば、帯状部材１０を生理用ナプキン１の幅方向（ＷＤ）へ引き出して使用する場合に、幅方向（ＷＤ）のおける遊び（自由度）が少なく（小さく）なるため、カバー部材１５の端部で帯状部材１０が折れ曲がったり、捩れたりして使用し難くなるためである。また、２００％より大きいと、例えば、帯状部材１０の幅方向（ＷＤ）における自由度が大きすぎるため生理用ナプキン本体５の中心軸と帯状部材１０の中心軸とがずれてしまうおそれがあるためである。
【００４０】
カバー部材１５は、生理用ナプキン本体５の長手方向（ＬＤ）における全域を覆う必要はなく、少なくとも後方領域（Ｒ）における補助吸収体６の把持部６２近傍に配置されればよい。少なくとも帯状部材の後方領域（Ｒ）に配置されていると、帯状部材１０が必要以上に幅方向（ＷＤ）に摺動することを防止することができ、着用中に生理用ナプキン本体５と帯状部材１０とがずれてしまうことを防止することが可能になるためである。また、カバー部材１５は、１つに限らず複数設けてもよい。
【００４１】
カバー部材１５は、表面シート部２を延長させこの延長部分を用いてもよく、裏面シート部３を延長させこの延長部分を用いるものであってもよい。表面シート部２又は裏面シート部３を延長して用いた場合、延長させて設けた各シートを非肌当接面側において重ねて接合することができる。例えば、生理用ナプキン本体５の非肌当接面側の幅方向（ＷＤ）における略中央部において、生理用ナプキン本体５の幅方向（ＷＤ）における長さの５０％以上を延長させ、それぞれの延長したシート同士を折り返し、積層した状態で接合してもよい。
【００４２】
カバー部材１５は、両側部で折り返して生理用ナプキン本体５と接合させる場合においては、その折返し部に長手方向（ＬＤ）に伸びる弾性材を配置することが好ましい。カバー部材１５の両側部に長手方向（ＬＤ）に伸びる弾性材を配置した場合には、例えば、生理用ナプキン本体５又はカバー部材１５の幅方向（ＷＤ）にこれらを捩れさせるような力が働いた場合においても、弾性材の復元力によりその力を抑制させることが可能になるためである。
【００４３】
カバー部材１５は、生理用ナプキン１の幅方向（ＷＤ）に伸縮可能に形成してもよい。幅方向（ＷＤ）に伸縮可能に形成することより帯状部材１０をカバー部材１５内で保持可能となるためである。また、例えば、帯状部材１０を生理用ナプキン１の幅方向（ＷＤ）へ引き出して使用する場合に、カバー部材１５が生理用ナプキン１の幅方向（ＷＤ）及び厚さ方向（ＴＤ）に伸長する伸縮することが可能となり、帯状部材１０を引き出しやすくなるためである。また、例えば、下着が弛んだり、身体の動きに伴って変形することにより下着と身体に相対的なずれが生じた場合においても、カバー部材１５がそのずれに追従して延伸又は伸縮するため、身体と生理用ナプキン本体５とを密着させた状態を保持することが可能になる。なお、カバー部材１５は、カバー部材１５の全部を伸縮可能に形成してもよく、その一部を伸縮可能に形成してもよい。例えば、後方領域（Ｒ）におけるカバー部材１５の開口部分の近傍を伸縮可能に形成してもよい。
【００４４】
［１．５］剥離シート及び固定部
カバー部材１５には、剥離シート２００が接合される。具体的には、剥離シート２００は、カバー部材１５の後方領域（Ｒ）に設けられる固定部２０１において、係止部９ｒの全部を覆うように配置されるとともに、カバー部材１５に接合される。なお、剥離シート２００のカバー部材１５への接合方法としては、ホットメルト接着剤により接合してもよく、エンボス加工又はソニック加工により接合してもよい。このように、係止部９ｒを剥離シート２００で覆うことにより、係止部９ｒをカバー部材１５で被包することが可能となると共に、例えば、係止部９ｒに粘着材を塗布した場合においても、使用者の意志とは異なる場所に係止部９ｒが貼り付くことを防止することが可能になる。また、剥離シート２００とカバー部材１５とを固定部２０１で接合させることにより、帯状部材１０の延伸と連動させて係止部９ｒから剥離シート２００を剥がすことが可能となり、容易に係止部９ｒを下着５０に係止させることが可能になる。
【００４５】
［１．６］固定部と係止部との位置関係
固定部２０１が設けられる位置としては、図７（Ａ）及び（Ｂ）に示すように、カバー部材１５の後方領域（Ｒ）側の端部２１０と係止部９ｒの後方領域（Ｒ）側の端部２１１との間であることが好ましい。言い換えると、図７（Ｂ）に示すように、固定部２０１は、係止部９ｒの後方領域（Ｒ）側の端部２１１よりも後方領域（Ｒ）側のカバー部材１５に設けられる。具体的には、固定部２０１の後方領域（Ｒ）側の端部２１２は、係止部９ｒの後方領域（Ｒ）側の端部２１１と同じ位置又は係止部９ｒの後方領域（Ｒ）側の端部２１１よりも１ｍｍ以上後方領域（Ｒ）側に配置される。好ましくは、係止部９ｒの後方領域（Ｒ）側の端部２１１よりも１〜５０ｍｍの範囲において後方領域（Ｒ）側に配置される。さらに好ましくは、係止部９ｒの後方領域（Ｒ）側の端部２１１よりも５〜２０ｍｍの範囲において後方領域（Ｒ）側に配置される。
【００４６】
このように、固定部２０１を係止部９ｒの後方領域（Ｒ）側の端部２１１よりも後方領域（Ｒ）側に設けることにより、例えば、図７（Ａ）に示すように、帯状部材１０を延伸させた場合において、剥離シート２００が固定部２０１を起点として係止部９ｒから剥がれ係止部９ｒを露出することとなるため、容易に帯状部材１０を下着５０に貼り付けることが可能になる。
【００４７】
［１．７］生理用ナプキン本体と帯状部材との接合位置
生理用ナプキン本体５と帯状部材１０とは、接合部８において接合される。生理用ナプキン本体５に対する帯状部材１０の接合位置としては、生理用ナプキン１の装着時において、着用者の膣口よりも前方領域（Ｆ）であることが好ましい。例えば、図８（Ａ）に示すように、着用者の排泄部近傍にある隆起部に設けられることが好ましい。具体的には、膣口の近傍にある恥骨に該当する位置であることが好ましい。恥骨に該当する位置は、例えば、その周辺箇所よりも硬く、若干隆起しているため、下着５０からの圧力が高くなり、生理用ナプキン本体５が身体からずれにくくなるためである。これにより、例えば、装着時に帯状部材１０を引っ張って、延伸させた場合においてもその応力により生理用ナプキン本体５が屈曲することがなく、装着時及び着用中に生理用ナプキン本体５のずれが生じにくくなる。
【００４８】
また、接合部８は、各基材シート１１、１３の間に所定の強度を備えるシート部材１４を挟持させてもよい。これにより、接合部８が所定の強度を有するため、帯状部材１０の接合を安定させることができる。
【００４９】
［１．８］下着との係止位置
生理用ナプキン１は、長手方向（ＬＤ）における両端に、下着５０等と係止する係止部９ｆ、９ｒを備える。係止部９ｆは、前方領域（Ｆ）において下着５０等と係止し、係止部９ｒは、後方領域（Ｒ）において下着５０等と係止する。ここで、係止部９ｆは、例えば、生理用ナプキン本体５と帯状部材１０とが接合される接合部８と対向する位置（例えば、カバー部材１５における当該位置）に設けられることが好ましい。生理用ナプキン本体５と帯状部材１０との接合部８においては、帯状部材１０の自由端１０ｒに対する起点であり、帯状部材１０の張力が生理用ナプキン本体５側へ最も加わる箇所となり、当該箇所においては生理用ナプキン本体５が下着５０とずれにくくなるためである。
【００５０】
また、係止部９ｒは、例えば、帯状部材１０の後方領域（Ｒ）側における最後端よりも前方領域（Ｆ）側にあることが好ましい。身体は、膣口から後方に向かって大きく湾曲していることが多いため、後方領域（Ｒ）側にあることによって、帯状部材１０の伸縮範囲が拡大するためである。また、身体の湾曲に沿って帯状部材１０が伸長することで、帯状部材１０による応力が排泄部近傍に位置する生理用ナプキン本体５へ伝わり易くなるためである。さらに、帯状部材１０の後方領域（Ｒ）側における最後端よりも若干前方領域（Ｆ）側に設けることにより、着用者が把持部６２を把持するときに指等に係止部９ｒの係止材が付くことを防止できるためである。
【００５１】
なお、着用中に帯状部材１０が下着等から外れないようにするためには、伸縮性を有する帯状部材１０の場合、帯状部材１０の収縮力より係止材による係止力の方が大きい必要がある。よって、係止力つまりせん断応力は、５〜５００ｃＮ／２５ｍｍの範囲である収縮力より大きくなるように設定することが好ましい。
【００５２】
［１．９］作用及び効果
図８（Ａ）から図９（Ｂ）により、本発明の第１実施形態における生理用ナプキン１の作用及び効果について説明する。
【００５３】
まず、着用者は、生理用ナプキン１を下着５０の所定の位置に配置し、生理用ナプキン１の非肌当接面側における前方領域（Ｆ）側の係止部９ｆを下着５０に係止させる。なお、下着５０の所定の位置とは、例えば、生理用ナプキン１における液透過領域２０を着用者の排泄部に当接可能な予測位置を含む。
【００５４】
そして、生理用ナプキン１の前方領域（Ｆ）の係止部９ｆにおける下着５０と生理用ナプキン１とを押さえたまま、帯状部材１０の自由端１０ｒ側に設けられた補助吸収体６の把持部６２を把持し、帯状部材１０を長手方向（ＬＤ）における後方領域（Ｒ）側に引っ張る。このとき、補助吸収体６（第２吸収体部１００）は、帯状部材１０の自由端１０ｒ側に配置されることとなるので、長手方向（ＬＤ）以外の方向（例えば、幅方向（ＷＤ）や長手方向（ＬＤ）交差する方向）にも移動可能となる。
【００５５】
そして、帯状部材１０が延伸されると、第２吸収体部１００は、帯状部材１０により生理用ナプキン本体５と連結された状態で、第２吸収体部１００が生理用ナプキン本体５の外縁から延出しない態様（第１位置）から、生理用ナプキン本体５の外縁から延出する態様（第２位置）に移動可能となる。
【００５６】
さらに、帯状部材１０が延伸されると、帯状部材１０の非肌当接面側に配置された係止部９ｒが外部に露出される。このとき係止部９ｒを被覆する剥離シート２００は、図７（Ｂ）に示すように、カバー部材１５と接合されているため、帯状部材１０が引っ張られて、係止部９ｒが外部に移動されることにより固定部２０１を起点にして係止部９ｒから剥離される（図７（Ａ）参照）。このようにして外部に露出された係止部９ｒを下着５０の所定の位置に貼り付ける。なお、所定の位置とは、着用者の排泄部に当接するように配置される第１吸収体部４の近傍を含み、例えば、臀部側における排泄部近傍を含む。また、係止部９ｒは、帯状部材１０をできるだけ延伸させた状態で、下着５０に貼り付けることが好ましい。
【００５７】
生理用ナプキン１の装着完了後、この状態で下着５０を着用することにより、帯状部材１０と生理用ナプキン本体５がなだらかな湾曲形状に変形し、帯状部材１０から生理用ナプキン本体５へ着用者の身体方向へ応力を伝える。そして、帯状部材１０は、生理用ナプキン本体５を吊り上げるように、身体側へと押し上げる。これにより、着用者の排泄部や排泄部付近の溝と生理用ナプキン１とを密着させることが可能になる（図８（Ａ）から（Ｃ）参照）。
【００５８】
また、生理用ナプキン１は、第１吸収体部４を有する生理用ナプキン本体５とは別に、第２吸収体部１００を有する補助吸収体６を設け、補助吸収体６を生理用ナプキン本体５からいずれの方向へも延伸可能に配置しているため、着用者の体調に基づき補助吸収体６を引っ張り出して使用することが可能になる。そして、補助吸収体６を引っ張り出し、下着に貼り付けて使用することにより肌当接面側に表れる表面シート側から見た第１及び第２吸収体部４、１００の総表面積を調節することが可能になる。つまり、第１吸収体部４と第２吸収体部１００のそれぞれを肌当接面側に表れる吸収体として使用することが可能となるため、吸収体の総表面積を大きくすることができる。これにより、より多くの排泄物を吸収させることが可能になる。
【００５９】
また、図９（Ａ）及び（Ｂ）に示すように、帯状部材１０は、接合部８のみでの接合であり、補助吸収体６は、帯状部材１０の自由端１０ｒ側に配置されるため、例えば、図９（Ｂ）に示すように、生理用ナプキン本体５の長手方向（ＬＤ）以外の方向（例えば、幅方向（ＷＤ）や生理用ナプキン本体５の長手方向（ＬＤ）と交差する方向）にも引っ張ることが可能になる。同様に、下着５０に接合した後においても帯状部材１０の伸張部が剛性の低い材料で形成されているため、例えば、着用者が歩行等することにより、臀部が動き、生理用ナプキン１を装着する下着５０が生理用ナプキン１の幅方向（ＷＤ）に動いた場合においても、その動きに容易に追従することが可能になる。
【００６０】
また、補助吸収体６と生理用ナプキン本体５とを連結する帯状部材１０を剛性の低い材料で形成するため、着用者に違和感を与えることなく着用者の動作に追従させることが可能となる。
【００６１】
また、帯状部材１０が伸縮性を有することによって、例えば、下着が弛んだり、身体の動きに伴って変形することにより下着と身体に相対的なずれを生じさせても、帯状部材１０がそのずれに追従して伸縮するため、身体と生理用ナプキン１とを密着させた状態を保持することが可能になる。したがって、着用者の排泄部等と生理用ナプキン１との密着性を向上させ、経血等の排泄物の漏れを防止することが可能になる。
【００６２】
［１．１０］その他
なお、本実施形態においては、帯状部材１０は、前方領域（Ｆ）に設けられた接合部８において生理用ナプキン本体５と接合され、補助吸収体６が生理用ナプキン本体５の後方領域（Ｒ）側のいずれかに延出する構成としたが、本発明においてはこれに限らない。例えば、帯状部材１０の両端に補助吸収体６を設けると共に、生理用ナプキン本体５の略中央部において、生理用ナプキン本体５と帯状部材１０とを接合させることにより、補助吸収体が前方領域（Ｆ）及び後方領域（Ｒ）のそれぞれの方向に延出可能と成るように構成してもよい。このように、補助吸収体を前方及び後方領域に延出可能に形成することにより、例えば、肌当接面側における吸収体部の表面積をより大きくすることが可能になる。
【００６３】
また、本実施形態においては、長手方向（ＬＤ）に伸びる１本の帯状部材１０を用いたが本発明においてはこれに限らない。例えば、それぞれが長手方向（ＬＤ）に平行に伸びるように配置される２本の帯状部材を用いて構成してもよい。このように、平行に伸びる２本の帯状部材を用いることにより、例えば、臀部のように左右の動きの異なる部位に好適に使用することができる。
【００６４】
［２．１］第２実施形態
図１０及び図１１を用いて、本発明の第２実施形態における生理用ナプキン１Ｂを説明する。
【００６５】
なお、以下の実施形態において、特に説明しない部分は、第１実施形態と同様であり、図面に付した番号も第１実施形態と同様である場合は、同じ番号を付している。
【００６６】
図１０及び図１１に示すように、第２実施形態に係る生理用ナプキン１Ｂは、帯状部材１０Ｂに折返し延伸部２１を設けたことにおいて第１実施形態と異なる。つまり、生理用ナプキン１Ｂは、帯状部材１０Ｂに折返し延伸部２１を設けることにより帯状部材１０Ｂを延伸可能とする。
【００６７】
このように、帯状部材１０Ｂは、所定量を長手方向（ＬＤ）に折り返して形成される折り返し延伸部２１を設けることにより、例えば、所定の延伸量を備えると共に、帯状部材１０Ｂをコンパクトに収納させることが可能になる。
【００６８】
ここで、所定の延伸量とは、例えば、生理用ナプキン本体５の長手方向（ＬＤ）における長さの３０〜３００％の範囲が好ましく、さらに好ましくは、７０〜１５０％の範囲が例示できる。また、折返し延伸部２１における所定量とは、上記帯状部材１０Ｂの所定の延伸量を維持し得るために折り返し可能な長さを含む。
【００６９】
また帯状部材１０Ｂは、折返し延伸部２１を設けて延伸可能とすることにより、例えば、非伸縮性シートを用いることが可能になる。ここで、非伸縮性シートとしては、例えば、不織布、フィルムシート等が例示できるが、帯状部材１０Ｂを吊り上げる際に加わる応力に耐え得る強度を有する部材であればよい。また、形状は、帯状、紐状等が例示できるが、帯状であることが好ましい。
【００７０】
［２．２］第３実施形態
図１２及び図１３を用いて、本発明の第３実施形態における生理用ナプキン１Ｃを説明する。
【００７１】
図１２に示すように、第３実施形態に係る生理用ナプキン１Ｃは、第１吸収体部４を備える生理用ナプキン本体５Ｃと第２吸収体部１００Ｃを有する補助吸収体６Ｃとを、長手方向（ＬＤ）における端部同士で連結させると共に、それぞれを連結する連結部（帯状部材）２２を非肌当接面側に折り返し、生理用ナプキン本体５Ｃと補助吸収体６Ｃとが積層されるように配置することにおいて、第１実施形態と異なる。
【００７２】
連結部２２は、生理用ナプキン本体５Ｃの表面シート部２と裏面シート部３とを長手方向（ＬＤ）にそれぞれ延出させ、これらを貼り合わせることにより形成される。補助吸収体６Ｃは、この延出した表面シート部２及び裏面シート部３の端部において、表面シート部２及び裏面シート部３の間に第２吸収体部１００Ｃを挟持させて形成される。なお、補助吸収体６Ｃは、生理用ナプキン本体５Ｃの非肌当接面側に配置される。
【００７３】
ここで、連結部２２は、剛性の低い表面シート部２及び裏面シート部３により形成されるため、長手方向（ＬＤ）、幅方向（ＷＤ）及び厚さ方向（ＴＤ）における自由度が高くなる。これにより、例えば、長手方向（ＬＤ）及び幅方向（ＷＤ）のそれぞれにおいて、連結部２２の一部が折れ起点となり、補助吸収体６Ｃは、この折れ起点と直交する方向に生理用ナプキン本体５Ｃの外縁から延出可能となる。
【００７４】
このように、生理用ナプキン本体５Ｃの外縁から補助吸収体６Ｃ（第２吸収体部１００Ｃ）を延出可能にすることにより、肌当接面側における吸収面積を調節することが可能になる。つまり、補助吸収体６Ｃにおける第２吸収体部１００Ｃを延出させた場合においては、肌当接面側の吸収面積を大きくすることができ、延出させない場合においては、通常の大きさを保つことが可能になる。
【００７５】
これにより、着用者はその日の体調（状態）により肌当接面側における吸収体部の吸収面積を調節して使用することが可能になる。
【００７６】
また、補助吸収体６Ｃは、剛性の低い表面シート部２及び裏面シート部３により形成される連結部２２により生理用ナプキン本体５Ｃと連結されるため、幅方向（ＷＤ）における自由度が高くなる。つまり、幅方向（ＷＤ）に摺動可能になる。これにより、例えば、着用者の歩行等により、臀部等が左右方向に動いた場合においても、幅方向（ＷＤ）に摺動可能なため、このような動作に容易に追従することが可能になる。
【００７７】
また、例えば、図１３（Ａ）及び（Ｂ）に示すように、生理用ナプキン１Ｃ’は、所定の接合部２３で生理用ナプキン本体５Ｃ’と連結部２２とを接合させてもよい。このように、接合部２３で生理用ナプキン本体５Ｃ’と連結部２２とを接合させることにより、例えば、補助吸収体６Ｃ（第２吸収体部１００Ｃ）の最大延出量を調節することが可能となる。また、延出時に連結部２２の折曲部分を残すように接合しておくことにより、例えば、補助吸収体６Ｃを最大量延出させた後においても、幅方向（ＷＤ）における自由度を有する部分が残るため、幅方向（ＷＤ）への摺動が容易になる。
【図面の簡単な説明】
【００７８】
【図１】本発明の第１実施形態に係る生理用ナプキンの正面図である。
【図２】図１の背面図である。
【図３】図１のＡ−Ａ断面図である。
【図４】図１のＢ−Ｂ断面図である。
【図５】前記第１実施形態に係る帯状部材の正面図である。
【図６】（Ａ）は、図５のＣ−Ｃ断面図であり、（Ｂ）は、図５のＤ−Ｄ断面図であり、（Ｃ）は、図５のＥ−Ｅ断面図である。
【図７】（Ａ）及び（Ｂ）は、生理用ナプキンにおける係止部と被覆シートとの関係を示す断面図である。
【図８】（Ａ）は、前記第１実施形態に係る生理用ナプキンの装着状態を示す図であり、（Ｂ）は、（Ａ）のＨ−Ｈ断面図であり、（Ｃ）は、（Ａ）のＩ−Ｉ断面図である。
【図９】（Ａ）及び（Ｂ）は、前記第１実施形態に係る生理用ナプキンの使用態様を示す図である。
【図１０】本発明の第２実施形態に係る生理用ナプキンの背面図である。
【図１１】図１０のＧ−Ｇ断面図である。
【図１２】（Ａ）は、本発明の第３実施形態に係る生理用ナプキンの斜視図であり、（Ｂ）及び（Ｃ）は、第３実施形態に係る生理用ナプキンのＪ−Ｊ断面図である。
【図１３】（Ａ）及び（Ｂ）は、本発明の第３実施形態の他の形態に係る生理用ナプキンのＪ−Ｊ断面図である。
【符号の説明】
【００７９】
１    生理用ナプキン
２    表面シート部
３    裏面シート部
４    第１吸収体部
５    生理用ナプキン本体
６    補助吸収体
８    接合部
９ｒ、９ｆ    係止部
１０    帯状部材
１５    カバー部材
２１    折返し延伸部
６２    把持部
１００    第２吸収体部
【図１】
0005260928.tif 000002
【図２】
0005260928.tif 000003
【図３】
0005260928.tif 000004
【図４】
0005260928.tif 000005
【図５】
0005260928.tif 000006
【図６】
0005260928.tif 000007
【図７】
0005260928.tif 000008
【図８】
0005260928.tif 000009
【図９】
0005260928.tif 000010
【図１０】
0005260928.tif 000011
【図１１】
0005260928.tif 000012
【図１２】
0005260928.tif 000013
【図１３】
0005260928.tif 000014